【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
配線基板上に実装した状態で使用されるものであって、
板状信号伝送媒体が挿入される媒体挿入通路を有する絶縁ハウジングと、
前記媒体挿入通路を形成している前記絶縁ハウジングの表面の一部からなり、前記媒体挿入通路の内部に挿入された前記板状信号伝送媒体を案内する媒体ガイド面と、
前記媒体ガイド面から溝状に窪む状態に凹設されたコンタクト収容部と、
前記コンタクト収容部の内部に一部が配置された導電性コンタクト部材と、
前記導電性コンタクト部材に設けられたカム受け部に回動可能に支持されて、待機位置と作用位置との間で回動操作されるアクチュエータカムと、を備え、
前記導電性コンタクト部材が、前記アクチュエータカムと当接する状態に対向配置された第１ビーム及び第２ビームと、前記第１ビーム及び第２ビームにおける延在方向の途中位置を一体的に繋ぐ連結ビームと、を有しているとともに、
前記第１ビーム又は第２ビームのいずれかに設けられた前記カム受け部が、前記第１ビーム又は第２ビームの延在方向において前記連結ビームを境として一方の領域に配置され、そのカム受け部に支持された前記アクチュエータカムが、前記待機位置から前記作用位置に回動操作されることで前記第１ビーム及び第２ビームに弾性的な曲げ変形による変位を生じさせて、当該第１ビーム及び第２ビームに設けられた接触部が、前記媒体ガイド面に沿って前記媒体挿入通路内に挿入された前記板状信号伝送媒体に当接する構成になされた電気コネクタにおいて、
前記第１ビーム及び第２ビームの一方であって前記カム受け部から前記連結ビームに至る領域には、前記延在方向における曲げ剛性が、前記カム受け部が設けられた部位に比して小さく設定された変位拡張部が設けられ、
前記アクチュエータカムが前記待機位置にあるときの前記第１ビーム及び第２ビームの接触部が、前記媒体ガイド面から前記コンタクト収容部の内部に没して前記媒体挿入通路に突出しない状態に配置されているとともに、
前記アクチュエータカムが前記作用位置に向かって回動操作されたときの前記第１ビーム及び第２ビームの一方の接触部が、前記アクチュエータカムの回動操作による前記変位拡張部の曲げ変形に基づいて、前記コンタクト収容部の内部から前記媒体ガイド面に向かって変位し、前記媒体挿入通路内に配置された前記板状信号伝送媒体と当接することを特徴とする電気コネクタ。
【請求項２】
前記変位拡張部は、前記第１ビーム及び第２ビームの一方であって前記カム受け部から前記連結ビームに至る領域の全域に設けられていることを特徴とする請求項１記載の電気コネクタ。
【請求項３】
前記変位拡張部は、前記第１ビーム及び第２ビームの一方であって前記カム受け部から前記連結ビームに至る領域の一部に設けられていることを特徴とする請求項１記載の電気コネクタ。
【請求項４】
前記第１ビーム及び第２ビームが、当該第１ビームと第２ビームとの対向方向に予め定められた板幅（寸法Ｗ）を有して前記延在方向に延びる金属製板状部材からなるものであって、
前記変位拡張部は、前記カム受け部から前記連結ビームに至る領域の全域又は一部における前記板幅（寸法Ｗ）が、前記カム受け部が設けられた部位に比して小さく設定されていることを特徴とする請求項１記載の電気コネクタ。
【請求項５】
前記変位拡張部の前記板幅（寸法Ｗ）が、前記カム受け部から前記連結ビームに向かって減少する構成になされたものであって、
当該変位拡張部の端縁が、前記延在方向に対して傾斜していることを特徴とする請求項４記載の電気コネクタ。
【請求項６】
前記第１ビーム及び第２ビームが、当該第１ビームと第２ビームとの対向方向に直交する方向に予め定められた板厚（寸法Ｔ）を有して前記延在方向に延びる金属製板状部材からなるものであって、
前記変位拡張部は、前記カム受け部から前記連結ビームに至る領域の全域又は一部における前記板厚（寸法Ｔ）が、前記カム受け部が設けられた部位に比して小さく設定されていることを特徴とする請求項１記載の電気コネクタ。
【請求項７】
前記媒体挿入通路の内部に挿入された前記板状信号伝送媒体の絶縁部分に対して、前記アクチュエータカムが前記作用位置に至る前の段階で接触し、当該板状信号伝送媒体を保持する保持手段が設けられていることを特徴とする請求項１記載の電気コネクタ。
【手続補正２】
【補正対象書類名】明細書
【補正対象項目名】０００８
【補正方法】変更
【補正の内容】
【０００８】
上記目的を達成するため本発明では、配線基板上に実装した状態で使用されるものであって、板状信号伝送媒体が挿入される媒体挿入通路を有する絶縁ハウジングと、前記媒体挿入通路を形成している前記絶縁ハウジングの表面の一部からなり、前記媒体挿入通路の内部に挿入された前記板状信号伝送媒体を案内する媒体ガイド面と、前記媒体ガイド面から溝状に窪む状態に凹設されたコンタクト収容部と、前記コンタクト収容部の内部に一部が配置された導電性コンタクト部材と、前記導電性コンタクト部材に設けられたカム受け部に回動可能に支持されて、待機位置と作用位置との間で回動操作されるアクチュエータカムと、を備え、前記導電性コンタクト部材が、前記アクチュエータカムと当接する状態に対向配置された第１ビーム及び第２ビームと、前記第１ビーム及び第２ビームにおける延在方向の途中位置を一体的に繋ぐ連結ビームと、を有しているとともに、前記第１ビーム又は第２ビームのいずれかに設けられた前記カム受け部が、前記第１ビーム又は第２ビームの延在方向において前記連結ビームを境として一方の領域に配置され、そのカム受け部に支持された前記アクチュエータカムが、前記待機位置から前記作用位置に回動操作されることで前記第１ビーム及び第２ビームに弾性的な曲げ変形による変位を生じさせて、当該第１ビーム及び第２ビームに設けられた接触部が、前記媒体ガイド面に沿って前記媒体挿入通路内に挿入された前記板状信号伝送媒体に当接する構成になされた電気コネクタにおいて、前記第１ビーム及び第２ビームの一方であって前記カム受け部から前記連結ビームに至る領域には、前記延在方向における曲げ剛性が、前記カム受け部が設けられた部位に比して小さく設定された変位拡張部が設けられ、前記アクチュエータカムが前記待機位置にあるときの前記第１ビーム及び第２ビームの接触部が、前記媒体ガイド面から前記コンタクト収容部の内部に没して前記媒体挿入通路に突出しない状態に配置されているとともに、前記アクチュエータカムが前記作用位置に向かって回動操作されたときの前記第１ビーム及び第２ビームの一方の接触部が、前記アクチュエータカムの回動操作による前記変位拡張部の曲げ変形に基づいて、前記コンタクト収容部の内部から前記媒体ガイド面に向かって変位し、前記媒体挿入通路内に配置された前記板状信号伝送媒体と当接する構成が採用されている。
【手続補正３】
【補正対象書類名】明細書
【補正対象項目名】０００９
【補正方法】変更
【補正の内容】
【０００９】
このような構成を有する本発明によれば、アクチュエータカムが待機位置にある状態では、導電性コンタクト部材の接触部が、コンタクト収容部の内部に没して媒体挿入通路に突出しない状態に維持されることから、媒体挿入通路の内部に挿入された板状信号伝送媒体が、導電性コンタクト部材の接触部に当接することがなく、板状信号伝送媒体の無用な導通が防止される。一方、アクチュエータカムが作用位置に回動された状態では、変位拡張部の曲げ変形によって導電性コンタクト部材の接触部が板状信号伝送媒体と当接することで、板状信号伝送媒体が良好に挟持される。
【手続補正４】
【補正対象書類名】明細書
【補正対象項目名】００１０
【補正方法】変更
【補正の内容】
【００１０】
また、本発明における前記変位拡張部は、前記第１ビーム及び第２ビームの一方であって前記カム受け部から前記連結ビームに至る領域の全域又は一部に設けられていることが可能である。